(57)【要約】【課題】  インクミストと処理液のミストが混合して凝集するのを防止することを目的とする。【解決手段】  処理液用記録ヘッド３６Ｔ側に設けられた吸引装置４８によって、処理液のミストが回収される。これにより、インクが吐出された際に発生するインクミストは、処理液のミストと混合することがなく、処理液のミストとインクミストとが混合して凝集することで引き起こされるノズル詰まりなどの画像形成不良の原因を取り除くことができる。また、インク用記録ヘッド３６Ｋと処理液用記録ヘッド３６Ｔの間は仕切板４０で仕切られているため、吸引装置４８にはインクミストが流れ込まない。これにより、吸引装置４８内でインクと処理液が混合して固着することもない。【選択図】    図２
2006088468.tif 000002
【特許請求の範囲】
【請求項１】
インクを吐出するインク用記録ヘッドと、前記インクを不溶化もしくは増粘・凝集する処理液を吐出する処理液用記録ヘッドとを備え、前記処理液と前記インクを吐出して記録媒体に画像を記録するインクジェット記録装置において、
前記インク用記録ヘッドと前記処理液用記録ヘッドとの間に設けられた仕切部材と、
前記処理液用記録ヘッド側に設けられ、前記処理液用記録ヘッドから吐出された処理液のミストを吸引する第１吸引装置と、
を有することを特徴とするインクジェット記録装置。
【請求項２】
前記インク用記録ヘッド側には、前記インク用記録ヘッドから吐出されたインクミストを吸引する第２吸引装置が設置されていることを特徴とする請求項１に記載のインクジェット記録装置。
【請求項３】
インクを吐出するインク用記録ヘッドと、前記インクを不溶化もしくは増粘・凝集する処理液を吐出する処理液用記録ヘッドと、前記インク用記録ヘッドから吐出されたインクから発生するインクミストと前記処理液用記録ヘッドから吐出された処理液から発生するミストを回収する回収装置と、を備え、処理液とインクを吐出して記録媒体に画像を記録するインクジェット記録装置において、
前記回収装置にはフィルタが設けられ、該フィルタには前記インクの増粘・凝集を防止する溶液が含浸されていることを特徴とするインクジェット記録装置。
【請求項４】
前記処理液は、インク及びインク中の成分を不溶化もしくは増粘・凝集させるインク中のイオン成分とは逆極性のイオン性化合物を１種以上含むことを特徴とする請求項１又は請求項２に記載のインクジェット記録装置。
【請求項５】
前記処理液は、インク及びインク中の成分を不溶化もしくは増粘・凝集させる２価以上の金属イオンを１種以上含むことを特徴とする請求項３に記載のインクジェット記録装置。
【請求項６】
前記処理液は、インク及びインク中の成分を不溶化もしくは増粘・凝集させる有機アミン系化合物を１種以上含むことを特徴とする請求項１又は請求項２に記載のインクジェット記録装置。
【請求項７】
前記処理液は、インク及びインク中の成分を不溶化もしくは増粘・凝集させるｐＫａ≦４の有機酸を１種以上含むことを特徴とする請求項３に記載のインクジェット記録装置。
【発明の詳細な説明】
【技術分野】
【０００１】
本発明は、記録ヘッドから記録媒体へインクを吐出して情報を記録するインクジェット記録装置に関する。
【背景技術】
【０００２】
ノズルからインク液滴を吐出し、記録媒体に情報を記録するインクジェット記録装置には、画像の耐水性の向上や異なるインク色間のにじみを抑え高画質化をはかるため、インク吐出とは別にインクと混合してインク中の成分（色材）を不溶化・凝集する物質を含有した処理液を吐出する処理液用の記録ヘッドを搭載したものがある（特許文献１参照）。
【０００３】
このようなインクジェット記録装置では、記録ヘッドから液滴を吐出する際、主滴に付随して形成されるサテライト（微小滴）や記録媒体上での跳ね返りなどによってインク及び処理液がミストとなり、装置内に発生する。インクミストと処理液のミストがインクジェット記録装置内で混合され、記録ヘッドのノズル付近に付着すると、固着してノズルを塞いでしまい吐出不良を引き起こすことがある。また、キャリッジの位置情報を検出するリニアエンコーダにインクミストと処理液のミストが混合して付着した場合、リニアエンコーダ上に固着して、位置検出不良を引き起こしてしまう。
【０００４】
このような問題に対して、記録ヘッドのノズル形成面にカバープレートを設け、記録ヘッドが搭載されたキャリッジの走査で発生する気流によって、ミストの付着範囲を制御するものがある（特許文献２参照）。
【０００５】
また、処理液を吐出する記録ヘッドと、この処理液と反応し易いインクを吐出する記録ヘッドとの距離を離すことで、インクから発生するミストと、処理液から発生するミストとの混合を低減する方法が提案されている（特許文献３参照）。
【０００６】
しかし、記録領域の全幅に渡る長さのフルラインヘッドを搭載しているプリンタ等では、ミストが多量に発生するため、上記方法では、処理液のミストとインクミストの混合が十分に防止できない。
【特許文献１】特開平０８−０７２２３４号公報
【特許文献２】特開平０９−２１６３５２号公報
【特許文献３】特開２０００−１４１７１３号公報
【発明の開示】
【発明が解決しようとする課題】
【０００７】
本発明は上記問題を考慮し、インクミストと処理液のミストが混合して凝集するのを防止することを目的とする。
【課題を解決するための手段】
【０００８】
請求項１に記載の本発明は、インクを吐出するインク用記録ヘッドと、前記インクを不溶化もしくは増粘・凝集する処理液を吐出する処理液用記録ヘッドとを備え、前記処理液と前記インクを吐出して記録媒体に画像を記録するインクジェット記録装置において、前記インク用記録ヘッドと前記処理液用記録ヘッドとの間に設けられた仕切部材と、前記処理液用記録ヘッド側に設けられ、前記処理液用記録ヘッドから吐出された処理液のミストを吸引する第１吸引装置と、を有することを特徴としている。
【０００９】
請求項１に記載の発明によれば、インク用記録ヘッドと処理液用記録ヘッドの間には仕切部材が設けられており、処理液用記録ヘッド側に設けられた第１吸引装置によって、処理液用記録ヘッドのノズルから処理液が吐出された際に発生する処理液のミストが回収される。
【００１０】
これにより、インクが吐出された際に発生するインクミストは、処理液のミストと混合することがなく、処理液のミストとインクミストとが混合して凝集することで引き起こされるノズル詰まりなどの画像形成不良の原因を取り除くことができる。
【００１１】
また、インク用記録ヘッドと処理液用記録ヘッドの間は仕切部材で仕切られているため、第１吸引装置にはインクミストが流れ込まない。これにより、第１吸引装置内でインクと処理液が混合して固着することもない。
【００１２】
さらに、吸引によって積極的に処理液のミストを回収することで、ミストが大量に発生しても、確実にインクジェット記録装置内から除去することができる。
【００１３】
請求項２に記載の本発明は、前記インク用記録ヘッド側には、前記インク用記録ヘッドから吐出されたインクミストを吸引する第２吸引装置が設置されていることを特徴としている。
【００１４】
請求項２に記載の発明によれば、インク用記録ヘッド側に設けられた第２吸引装置によってインクミストを吸引することで、インクミストが処理液のミストと混合する可能性が各段に低下し、また、インクミストによってインクジェット記録装置内が汚れるのを防止する。
【００１５】
請求項３に記載の本発明は、インクを吐出するインク用記録ヘッドと、前記インクを不溶化もしくは増粘・凝集する処理液を吐出する処理液用記録ヘッドと、前記インク用記録ヘッドから吐出されたインクから発生するインクミストと前記処理液用記録ヘッドから吐出された処理液から発生するミストを回収する回収装置と、を備え、処理液とインクを吐出して記録媒体に画像を記録するインクジェット記録装置において、前記回収装置にはフィルタが設けられ、該フィルタには前記インクの増粘・凝集を防止する溶液が含浸されていることを特徴としている。
【００１６】
請求項３に記載の発明では、インクミストと処理液のミストを混合して回収しても、回収装置に設けられたフィルタに含浸された溶液によって増粘・凝集することがない。従って、フィルタ詰まりを引き起こす恐れがない。
【００１７】
また、インクミストと処理液のミストを１つの回収装置で回収するため、回収装置を設置するスペースが小さくて済み、インクジェット記録装置の小型化や、コスト低減に繋がる。
【００１８】
請求項４に記載の本発明は、前記処理液は、インク及びインク中の成分を不溶化もしくは増粘・凝集させるインク中のイオン成分とは逆極性のイオン性化合物を１種以上含むことを特徴としている。
【００１９】
請求項５に記載の本発明は、前記処理液は、インク及びインク中の成分を不溶化もしくは増粘・凝集させる２価以上の金属イオンを１種以上含むことを特徴としている。
【００２０】
請求項５に記載の発明では、２価以上の金属イオンを１種以上含む処理液を用いた場合、フィルタにこの多価（２価以上）金属イオンを水溶性キレート化するキレート剤を含浸させる。これにより、フィルタに付着した処理液のミストはキレート化されて、インクミストと混合しても増粘・凝集することがない。
【００２１】
請求項６に記載の本発明は、前記処理液は、インク及びインク中の成分を不溶化もしくは増粘・凝集させる有機アミン系化合物を１種以上含むことを特徴としている。
【００２２】
請求項７に記載の本発明は、前記処理液は、インク及びインク中の成分を不溶化もしくは増粘・凝集させるｐＫａ≦４の有機酸を１種以上含むことを特徴としている。
【００２３】
請求項７に記載の発明では、ｐＫａ≦４の有機酸を１種以上含む処理液を用いる場合、フィルタにｐＫａ≧８の化合物を含浸させる。
【発明の効果】
【００２４】
本発明は上記構成としたので、インクミストと処理液のミストが混合して凝集するのを防ぐことができる。
【発明を実施するための最良の形態】
【００２５】
本発明の第１実施例に係るインクジェット記録装置１０について説明する。
（インクジェット記録装置の全体構成）
先ず、インクジェット記録装置１０の全体構成について簡単に説明する。
【００２６】
インクジェット記録装置１０は、図１に示すように、記録媒体としての用紙を送り出す用紙供給部１２と、用紙の姿勢を制御するレジ調整部１４と、インク滴を吐出して用紙に画像形成する記録ヘッド本体２８を備える記録部１６と、記録部１６で画像形成された用紙を排出する排出部１８とから基本的に構成される。
【００２７】
用紙供給部１２は、用紙が積層されてストックされているストッカ２０と、ストッカ２０から１枚ずつ枚葉してレジ調整部１４に搬送する搬送装置２２とから構成されている。
【００２８】
レジ調整部１４は、ループ形成部２４と用紙の姿勢を制御するガイド部材２６が備えられており、この部分を通過することによって用紙のコシを利用してスキューが矯正されると共に搬送タイミングが制御されて記録部１６に進入する構成である。
【００２９】
記録部１６には、用紙に対して画像形成用液体（インク、処理液）を用紙に着弾させて画像を形成する記録ヘッド本体２８と、記録ヘッド本体２８の下方へ用紙を搬送する搬送部３０が設けられており、搬送部３０で連続的に（停止することなく）搬送される用紙に対して、記録ヘッド本体２８から処理液及びインクを吐出して、用紙に画像を形成する構成である。
【００３０】
また、排出部１８は、記録部１６で画像が形成された用紙を、排紙ベルト３２を介してトレイ３４に排出するものである。
【００３１】
（記録ヘッド本体の構成）
次に、記録ヘッド本体２８について、図２を参照して詳細に説明する。
【００３２】
記録ヘッド本体２８は、イエロー色のインクを吐出する記録ヘッド３６Ｙ、マゼンタ色のインクを吐出する記録ヘッド３６Ｍ、シアン色のインクを吐出する記録ヘッド３６Ｃ、ブラック用のインクを吐出する記録ヘッド３６Ｋを有している。この各色の記録ヘッド３６には、用紙搬送方向と直交する方向に、インクを吐出する複数のノズル３８（図３参照）が一列に配列されている。
【００３３】
なお、本実施形態では、記録ヘッド３６を用紙搬送方向に色毎に一列ずつ配列する構成としたが、記録ヘッド３６を色毎に千鳥状に二列配列したり、用紙搬送方向に対して斜めに交差するようにして配列してもよい。
【００３４】
また、搬送方向上流側からイエロー、マゼンタ、シアン、ブラックの順に記録ヘッド３６を配設したが、並べる色の順は、イエロー、マゼンタ、シアン、ブラックの順に限らない。
【００３５】
ノズル３８は用紙の幅とほぼ同じ長さにわたって配列されており、用紙Ｐを搬送しながら、サーマルインクジェット方式やピエゾインクジェット方式によりノズル３８からインク滴を吐出して用紙Ｐに画像を形成する、いわゆるフルラインヘッドタイプの記録ヘッド３６であり、記録ヘッド本体２８を走査させることなく用紙の全幅に印字可能とされている。すなわち、記録ヘッド本体２８の下を用紙が１回通過するだけで印字が完了する構成となっている。
【００３６】
記録ヘッド本体２８には、ブラックの記録ヘッド３６Ｋと所定の間隔をおいて、用紙搬送方向に直交する方向に一列に形成されたノズル３８Ｔから処理液を吐出する処理液用の記録ヘッド３６Ｔが設けられている。処理液は、インクの成分を増粘・凝集させる成分を含むものが用いられる。本実施形態では、Ｍｇ、Ｃａ、Ｂａ、Ｃｕ、Ｃｏ、Ｎｉ、Ｚｎ、Ｆｅ、Ａｌ、Ｌａ等の多価金属イオンを含む処理液を用いている。上記列挙した多価金属イオンの中でも、Ｍｇが好ましい。
【００３７】
このような構成により、用紙Ｐには、ノズル３８Ｔから処理液が吐出され、ノズル３８Ｋ、３８Ｃ、３８Ｍ、３８Ｙからブラック、シアン、マゼンタ、イエローのインク吐出されるようになっている。これにより、処理液とインクが混合して、処理液がインクの成分と反応し、インクを不溶化もしくは増粘・凝集する。従って、処理液を用紙Ｐに吐出することにより、用紙Ｐに吐出されたインクの定着性が向上する。
【００３８】
記録ヘッド本体２８のブラックの記録ヘッド３６Ｋと処理液の記録ヘッド３６Ｔとの間には、仕切板４０が設置されている。図３に示すように、仕切板４０は、長手方向がノズル３８の配列方向と平行になるようにして設置されており、長手方向の寸法はノズル３８が形成された領域よりも大きくされている。また、仕切板４０は、記録ヘッド３６のインク吐出面よりも下方に延出している。これにより、仕切板４０によって、記録ヘッド３６Ｔとインク用の記録ヘッド３６Ｋ、３６Ｃ、３６Ｍ、３６Ｙとが、仕切られた状態になっている。すなわち、記録ヘッド３６のインク吐出面と、後述する搬送ベルト４６の間の空間は、仕切板４０で区画された状態となる。
【００３９】
この仕切板４０は、記録ヘッド３６Ｔとインク用の記録ヘッド３６Ｋ、３６Ｃ、３６Ｍ、３６Ｙとを仕切る目的で設けられているが、搬送ベルト４６上を搬送される用紙Ｐの先端の浮き上がりを抑える効果も備えている。これにより、用紙Ｐの先端が記録ヘッド３６のインク吐出面に衝突して、ノズル３８を傷付けるのを防止する。
【００４０】
記録ヘッド本体２８の下方には搬送部３０が設けられている。搬送部３０は、一対のローラ４２、４４と、このローラ４２、４４に巻き掛けられた無端状の搬送ベルト４６とで構成されている。ローラ４２には図示しないモータの回転力が伝達され、矢印Ａ方向に回転する。そして、ローラ４２の回転に伴って搬送ベルト４６が矢印Ｂ方向に移動する。また、搬送ベルト４６上に載置された用紙Ｐは、搬送ベルト４６に静電吸着によって吸着され、上述したように矢印Ｂ方向に向かって搬送される構成となっている。
【００４１】
記録ヘッド本体２８の用紙搬送方向の両端には、吸引装置４８、５０が設けられている。吸引装置４８及び吸引装置５０は、ほぼ同じ構成とされているので、ここでは吸引装置４８を例にとって説明する。
【００４２】
図２及び図３に示すように、吸引装置４８は、矩形状の吸引口５２が形成されたダクト５４を有している。吸引口５２は、記録ヘッド３６のインク吐出面と搬送ベルト４６の間に位置し、且つ、長手方向が搬送方向と直交するようにして配置されている。また、吸引口５２の長手方向の寸法は、記録ヘッド３６に形成された複数のノズル３８の幅より大きくされている。これにより、後述するファン６０を駆動して吸引口５２に吸引力を発生させたとき、配列方向端部のノズル３８からインクが吐出された際に発生するミストも、確実に吸引することができるようになっている。
【００４３】
また、ダクト５４は、略中央部から吸引口５２にかけて絞り込まれて、吸引口５２の断面積がダクト５４の略中央部の断面積よりも小さくなるように形成されている。これにより、吸引口５２で記録ヘッド３６のインク吐出面と用紙Ｐの間の空気を吸引できるようになっている。
【００４４】
ダクト５４は吸引口５２から用紙搬送方向に沿って延設され、上方に向かって湾曲した形状となっている。ダクト５４の排気口５６にはファン６０が設けられている。そして、ファン６０を駆動させることでダクト５４を負圧とし、記録ヘッド３６のインク吐出面と搬送ベルト４６との間の空気を吸引口５２から吸引して、ダクト５４を介して排気口５６からインクジェット記録装置１０の外部へ排気するようになっている。
【００４５】
また、ダクト５４内にはフィルタ５８が取り付けられている。このフィルタ５８によって、吸引口５２から吸引した空気中に含まれるミストがトラップされ、排気口５６からはミスト等が除去された空気が排気される。従って、インクジェット記録装置１０の外部がミスト等で汚れることがない。
【００４６】
このような構成の吸引装置４８、５０が、搬送ベルト４６の搬送方向の両側に設けられている。そして、吸引装置４８で、記録ヘッド３６のインク吐出面と搬送ベルト４６で形成される空間の用紙搬送方向上流側の空気を吸引し、吸引装置５０で、この空間の用紙搬送方向下流側の空気を吸引する。
【００４７】
すなわち、記録ヘッド３６Ｋ、３６Ｃ、３６Ｍ、３６Ｙからインクが吐出されたときに発生するインクミストは吸引装置４８で吸引され、記録ヘッド３６Ｔから処理液が吐出されたときに発生する処理液のミストは吸引装置５０で吸引される。このように、用紙搬送方向の両側に吸引装置４８、５０を設けることで、インクミストと処理液のミストは、それぞれの吸引装置で回収されるようになっている。
【００４８】
また、記録ヘッド３６Ｔと記録ヘッド３６Ｋの間に仕切板４０を設置することで、吸引装置４８でインクミストを吸収するとき、処理液のミストを一緒に吸収してしまうことがない。同様にして、吸引装置５０では、処理液のミストを吸引するときにインクミストを一緒に吸収してしまうことがない。従って、吸引装置４８、５０内でインクミストと処理液のミストが混合して固着することがない。
【００４９】
次に、本発明の第１の実施形態の作用について説明する。
【００５０】
用紙Ｐに画像を形成する際に、まず、処理液を吐出する記録ヘッド３６Ｔから用紙Ｐに処理液を吐出する。そして、インクを記録ヘッド３６Ｋ、３６Ｃ、３６Ｍ、３６Ｙから、用紙Ｐの処理液が吐出されたところへ吐出する。
【００５１】
このとき、記録ヘッド３６のインク吐出面と搬送ベルト４６と仕切板４０とで形成された空間の用紙搬送方向の上流側には、ノズル３８から吐出されたインク及び用紙Ｐに着弾した際の跳ね返りから発生するインクミストが漂う。また、記録ヘッド３６のインク吐出面と搬送ベルト４６と仕切板４０とで形成された空間の用紙搬送方向の下流側には、ノズル３８Ｔから吐出された処理液及び用紙Ｐに着弾した際の跳ね返りから発生する処理液のミストが漂う。
【００５２】
そこで、記録ヘッド本体２８の用紙搬送方向の上流側に設置された吸引装置４８でインクミストを吸引し、記録ヘッド本体２８の用紙搬送方向の下流側に設置された吸引装置５０で処理液のミストを吸引する。
【００５３】
これにより、インクジェット記録装置１０の空気中からは、処理液のミストとインクミストを除去することができるので、インクミストが処理液のミストと混合して凝集し、ノズル３８付近に付着することがない。従って、ノズル３８詰まりなどの画像形成不良を引き起こす恐れがない。
【００５４】
また、インクミスト、処理液のミストを吸引装置４８、５０で吸引して回収することで、ミストを大量に発生させる高速・大量印字に対応したインクジェット記録装置の場合でも、確実に処理液のミストをインクジェット記録装置内から除去することができる。
【００５５】
なお、本実施形態では、吸引装置４８でインクミストを吸引し、吸引装置５０で処理液のミストを吸引する構成としたが、図４に示すように、吸引装置５０のみを配置して、処理液のミストのみを回収する構成としてもよい。少なくとも処理液のミストを回収すれば、インクミストが処理液のミストと混合して凝集することを防止できる。
【００５６】
また、吸引装置４８、５０は、吸引口５２の長手方向を用紙搬送方向に直行させて配置し、用紙搬送方向から吸引する構成としたが、図５に示すように、吸引口６６の長手方向を用紙搬送方向と平行になるようにして吸引装置６２、６４を配置し、用紙搬送方向と直交する方向から吸引してもよい。
【００５７】
次に、本発明の第２実施例に係るインクジェット記録装置７０について説明する。
【００５８】
図６及び図７に示すように、記録ヘッド本体７１は、ブラック、シアン、マゼンタ、イエローのインクを吐出する記録ヘッド７２Ｋ、７２Ｃ、７２Ｍ、７２Ｙ及び処理液を吐出する記録ヘッド７２Ｔを有しており、インク及び処理液の吐出面が用紙Ｐと対向するようにキャリッジ７４上に搭載されている。このキャリッジ７４は、駆動制御信号に基づき主走査機構７６によって主走査方向（矢印Ａ、Ｂで示す）に移動される。これにより、記録ヘッド本体７１は、副走査機構７８によって副走査方向（矢印Ｃで示す）へ搬送される用紙Ｐへ、画像情報に応じてインク液滴を吐出することにより、用紙Ｐの全面に画像の記録を行う。
【００５９】
キャリッジ７４の走査方向の一方の端部には、吸引装置８０が設けられている。吸引装置８０は、矩形状の吸引口８２が形成されたダクト８６を有しており、吸引口８２の長手方向が副走査方向と平行になるようにして設けられている。ダクト８６の排気口（図示省略）は、インクジェット記録装置７０のハウジング８４に取り付けられている。また、排気口にはファンが取り付けられており、ファンを駆動させてダクト８６内を負圧にすることで、吸引口８２には吸引力が発生する。これにより、吸引口８２でインクジェット記録装置７０内の空気を吸引し、排気口からインクジェット記録装置７０の外部へ排気する構成となっている。ダクト８６は、略中央部から吸引口８２にかけて絞り込まれて、吸引口８２の断面積がダクト８６の略中央部の断面積よりも小さくなるように形成されている。これにより、吸引口８２で記録ヘッド７２のインク吐出面と用紙Ｐの間の空気を吸引できるようになっている。
【００６０】
ダクト８６の略中央部にはフィルタ８８が設けられており、吸引口８２から吸引したインクジェット記録装置７０内の空気に含まれるインクミスト及び処理液のミストは、このフィルタ８８にトラップされる。そして、インクジェット記録装置７０の外部にはインクミスト、処理液のミスト等が除去された空気が排気される。
【００６１】
フィルタ８８には、インクの増粘・凝集を防止する溶液（ここでは、多価金属イオンを水溶性キレート化するキレート剤）が含浸されている。これにより、フィルタ８８に付着した処理液のミストは、フィルタ８８に含浸されたキレート剤によってキレート化されるので、フィルタ８８に付着したインクミストと混合しても、増粘・凝集することがない。従って、フィルタ詰まりを引き起こす恐れがない。なお、キレート剤としては、ニトリロ三酢酸、Ｎ，Ｎ−（−２ヒドロキシエチル）−グリシン、Ｎ‘−四酢酸、ジカルボン酸、トリカルボン酸、リン酸、これらの塩等を挙げることができる。
【００６２】
また、インクミストと処理液のミストを１つの吸引装置８０で回収することで、吸引装置８０の設置スペースが小さくて済む。従って、インクジェット記録装置７０の小型化や、コスト低減に繋がる。
【００６３】
なお、本実施形態では、記録ヘッド本体７１が往復移動するシリアルタイプのインクジェット記録装置７０について説明したが、フルラインヘッドタイプのインクジェット記録装置に、本発明を適用することもできる。
【００６４】
また、吸引口８２の長手方向が副走査方向に平行となるようにして吸引装置８０を配置する構成としたが、図８に示すように、吸引口９２の長手方向が主走査方向と平行になるようにして、吸引装置９０を配置してもよい。
【００６５】
さらに、本実施形態では、マグネシウムイオン等の多価金属イオンを含む処理液を用いることで、フィルタ８８には、この多価金属イオンを水溶性キレート化するキレート剤を含浸させたが、処理液によってフィルタ８８に含浸させる溶液はそれぞれ変わってくる。例えば、Ｋａ≦４の有機酸を１種以上含む処理液を用いる場合は、フィルタにｐＫａ≧８の化合物を含浸させる。
【００６６】
ｐＫａ≧８以上の化合物としては、アミノエタンスルホン酸、３−［４−（２−ヒドロキシエチル）−１−ピペラジニル］プロパンスルホン酸、Ｎ−［トリス（ヒドロキシメチル）メチル］グリシン、Ｎ，Ｎ−ビス（２−ヒドロキシエチル）グリシン、Ｎ−トリス（ヒドロキシメチル）メチル−３−アミノプロパンスルホン酸、Ｎ−シクロヘキシル−２−アミノエタンスルホン酸、Ｎ−シクロヘキシル−２−ヒドロキシ−３−アミノプロパンスルホン酸、Ｎ−シクロヘキシル−３−アミノプロパンスルホン酸等を挙げることができる。これにより、フィルタに付着した処理液のミストはインクミストと混合しても増粘・凝集することがないので、フィルタ詰まりを抑制することができる。
【図面の簡単な説明】
【００６７】
【図１】本発明の第１の実施形態に係るインクジェット記録装置を示す模式図である。
【図２】本発明の第１の実施形態に係るインクジェット記録装置に搭載される記録ヘッド及び吸引装置を示す斜視図である。
【図３】（Ａ）本発明の第１の実施形態に係るインクジェット記録装置に搭載される記録ヘッド及び吸引装置を示す上面図であり、（Ｂ）側面図である。
【図４】本発明のその他の実施形態に係るインクジェット記録装置に搭載される記録ヘッド及び吸引装置を示す側面図である。
【図５】（Ａ）本発明のその他の実施形態に係るインクジェット記録装置に搭載される記録ヘッド及び吸引装置を示す上面図であり、（Ｂ）側面図である。
【図６】本発明の第２の実施形態に係るインクジェット記録装置を示す斜視図である。
【図７】本発明の第２の実施形態に係るインクジェット記録装置に搭載される記録ヘッド及び吸引装置を示す斜視図である。
【図８】本発明のその他の実施形態に係るインクジェット記録装置に搭載される記録ヘッド及び吸引装置を示す斜視図である。
【符号の説明】
【００６８】
１０  インクジェット記録装置
３６  記録ヘッド
３６Ｋ  記録ヘッド（インク用記録ヘッド）
３６Ｃ  記録ヘッド（インク用記録ヘッド）
３６Ｍ  記録ヘッド（インク用記録ヘッド）
３６Ｙ  記録ヘッド（インク用記録ヘッド）
３６Ｔ  記録ヘッド（処理液用記録ヘッド）
４０  仕切板（仕切部材）
４８  吸引装置（第２吸引装置）
５０  吸引装置（第１吸引装置）
５２  吸引口
５８  フィルタ
７０  インクジェット記録装置
７２  記録ヘッド
７２Ｋ  記録ヘッド（インク用記録ヘッド）
７２Ｃ  記録ヘッド（インク用記録ヘッド）
７２Ｍ  記録ヘッド（インク用記録ヘッド）
７２Ｙ  記録ヘッド（インク用記録ヘッド）
７２Ｔ  記録ヘッド（処理液用記録ヘッド）
８０  吸引装置（回収装置）
８２  吸引口
８８  フィルタ
【図１】
2006088468.tif 000003
【図２】
2006088468.tif 000004
【図３】
2006088468.tif 000005
【図４】
2006088468.tif 000006
【図５】
2006088468.tif 000007
【図６】
2006088468.tif 000008
【図７】
2006088468.tif 000009
【図８】
2006088468.tif 000010